(57)【特許請求の範囲】
【請求項１】
連結スクリュウを内蔵し，吸気孔を付加したパイプに水道の蛇口をつないで連続送水し，このことによって連結スクリュウの回転と空気の吸引とをなさしめ，水と空気とを混合して細分した気泡を含ませ，同時に連結スクリュウと同一軸上にあって，パイプに続く球型のケースに内蔵してある回転翼を回転させて，更に気泡を細分して水と空気との接触面積を増大させ水道水に含む遊離塩素等を細泡に取り込んで空気と混合した後，上記球型のケースの最下端部に設けた吐出口より，当該細泡を含んだ水を吐出させ吸引した空気と共に遊離塩素等を大気中に放散させて除去することを特徴とする曝気を手段とした浄水器。
【請求項２】
「請求項１」において回転翼を着脱可能とし，ピッチを逆にした回転翼を適宜付加することのできる機構を特徴とする曝気を手段とした浄水器。
【請求項３】
「請求項１」「請求項２」において送水速度＜吐出速度となるように調節可能な機構を付加する事によって器具内部の圧力を上昇させることを特徴とする曝気を手段とした浄水器。
【請求項４】
「請求項１」「請求項２」において単独のスクリュウを積み重ねる事によって連結スクリュウを構成し，回転翼とともにそれらの各１個もしくは各複数個に永久磁石の機能を持たせ，その回転する磁石によって生じる磁界を通過させる事を特徴とした曝気を手段とする浄水器。
【発明の詳細な説明】
【０００１】
【産業上の利用分野】
水道水に殺菌のために添加された塩素は，法に基ずいて使用時直前においても０．１ｍｇ／ｌ以上残留していなければならないが，一方ではそのために起こる味の劣化や不快臭等の原因ともなっている。また上水用ダム湖や貯水池等に自然発生するアオコ等に起因する不快臭もある。この発明はそれらの原因物質を分解あるいは除去することによる水道水の価値向上等を目的とするものである。
【０００２】
【従来の技術】
水中に添加された遊離塩素を除去する方法には，チオ硫酸ナトリュウムによって化学的に処理するか，活性炭によっての処理，加熱あるいは常温下に放置する事による大気中への拡散等がある。それらの方法は要求される目的，緊急性，処理量等にもよるがチオ硫酸ナトリュウムを添加する方法では硫酸根が残り用途によっては好ましくない。加熱では熱源を考慮すると大量に処理するには施設，経費，所要時間等から簡単ではなく一般的には不向きである。また常温に放置するあるいはそれを曝気する方法でも時間がかかり過ぎ緊急性に乏しい。
【０００３】
したがって家庭で使用する小型の装置あるいは器具としては，一般には活性炭あるいは機能的に活性炭に類似する材料を使った器具によって処理されている例が多い。しかし活性炭等を積層したある意味での濾過層を通過させるのでその規模あるいは水の処理（使用）量にもよるが処理能力が水の通過によってその都度徐々にではあっても劣化するので一定期間あるいはある処理量毎に処理材，ここでは主に活性炭を更新または再生させなければならない煩わしさがある。また実際には更新時期等の目安がわかり難いので早めに更新することになり，経済的ではない。
【０００４】
このようなことから処理結果が完全で，取り扱いが簡便で機能の劣化がなくしかも運転経費が低廉な脱塩素等を目的とした方法の開発が望まれているのが現状である。
【０００５】
【発明が解決しようとする課題】
以上に述べたように従来の脱塩素等水の浄化手段は，主に活性炭を使った例が多いが，取り扱いが簡便で処理結果が安定し，機能の劣化がなくしかも使用経費が低廉であることが求められている。
【０００６】
しかしその器具の機能を維持するためには活性炭等の浄化剤を使用する限り，煩わしさを伴うそれらの浄化剤等の更新を必要とするので現在主体をなす活性炭を使用した器具においては，取り扱いが簡便で機能の劣化がなく処理結果が安定しているとは評価しにくい。
【０００７】
なお理由はよく判っていないが，最近水分子のクラスタ−が巨大化していると言われており，不快臭の抜け難さにも無関係ではなさそうでその細分方法が求められている。その他にこれらの事と同様に重要なのが取り扱いを間違えると逆に上記濾過層に疾病原因となるような雑菌が発生する恐れのあることである。特に浄化器具を通過させた水を生で飲料水や氷として使用する場合等には重大な結果をもたらす可能性を否定できない。
【０００８】
【課題を解決するための手段】
本発明になる器具による脱塩素は，薬剤，濾剤等を一切使用せず，水道蛇口からの吐出速度をエネルギ−として利用する機械的な方法で遊離塩素を大気中に拡散させるので，蛇口に取り付け普通に蛇口の開閉を行うことによって機能し，取り扱いは極めて簡便である。処理結果は水道蛇口の吐出（器具への送水）速度が規定以上であれば吸気と回転による空気との攪拌が，自動的に行われるので処理は完全でしかも安定する。
【０００９】
また攪拌と磁界を通過させることによる水のクラスタ−の細分を行い，濾剤等の消耗品は一切使用しないので機能の劣化もなく，使用に係わる経費も全くかからず，疾病原因となるような雑菌の発生する機構は一切ないのでこの事による重大な結果をもたらすことはない。
【００１０】
【作用】
気体の水への溶解は，主に温度，圧力，水との接触面積，接触時間，気体の濃度，溶媒に含む同一気体の飽和度等々の諸条件が影響する。なお溶解した空気中の溶存酸素は酸化分解作用を持ちその濃度が浄化作用を左右する。普通には，溶解した空気の表現は酸素の意で用いられる事が多く，ここでもその例に習う。
【００１１】
本発明では，水の粘性と水道蛇口での吐出速度（器具への送水速度）によってパイプ内部に設けた連結スクリュウは回転する。同時に陰圧の生じる事によって吸気された空気は小さな気泡となり，水との接触面積は拡大し，連結スクリュウの回転によって気泡は更に細分し，接触面積を拡大しながらその細泡を含んだ水は，器具内をその吐出口の方向へ移動して連結スクリュウと同一軸上にある回転翼を内蔵した球状部に達する。
【００１２】
その回転翼は，連結スクリュウの回転力によって同時に回転しているから水中に浮遊している細泡はその回転による攪拌によって融合して膨大そして再細分される事を繰り返して空気の溶解は促進されほゞ和に達する。また器具内部の圧力を上昇させるとそれに見合う分だけ空気の溶解度を上げる事が出来るが，圧力から開放されるとその分の空気は細泡となり最終的には大気中に拡散する。
【００１３】
このような経過の水に含む泡には，それがかって細泡であった程，遊離塩素の含まれている割合が高く，それらは器具から水と共に吐出されると同時に空気と共に大気中に拡散する。なお最近の水はそのクラスタ−が巨大化して諸々の障害が生じ，生物に水として直接に吸収され難くなっていると言われているが，クラスタ−を細分するには磁界を通過させる方法や特殊な攪拌等があり，本発明による浄水器にはそれらの作用を応用する機能も持たせた。
【００１４】
【実施例】
図面によって説明する。図１は本発明による浄水器の内部詳細図である。図２は図１に示した連結スクリュウの一部を拡大した上面図と側面図である。図３ははずみ環を有する回転翼ＡＢ２種類の各上面図と断面図，図４が本浄水器の外部斜視図である。
【００１５】
送水口１を水道の蛇口につないで連続送水すると水の粘性とその送水速度（送水量）によって器具内部の連結スクリュウ６は連続して回転する。同時に２の吸気孔から吸い込まれた空気は気泡となり，それを含んだ水は連結スクリュウの回転によって気泡を細分しながらＡとＢ２種類の回転翼を内蔵する７の球状部へと送られる。
【００１６】
その回転翼ＡＢは，連結スクリュウ６と同軸上にあってその連結スクリュウの回転力によって回転しておりしかも逆ピッチの回転翼を組み合わせることが出来るのでそれによって攪拌の強弱を調節できる。
【００１７】
球状部に送られた水に含む気泡は，これらによって攪拌されて細分と泡と泡との融合による膨大とを繰り返す。また１０の吐出量調整コックを操作して送水速度＜吐出速度とすることによって浄水器内部を加圧して，その分空気の溶解量を付加することができるが，大気圧に戻るとガス化して細泡となる。
【００１８】
これらの細泡は，何れも最終的には水と共に吐出口１１から排出されるが，２から吸気された空気は気泡となり，上記のような経過中において遊離塩素等を含み，これらは空気と共に大気中へ拡散するので水の塩素臭は官能検査においても完全に消滅し塩素臭はない。分析の結果も，処理前１．０ｍｇ／ｌの残留塩素は０．０ｍｇ／ｌであった。また水中に含むアオコ等を原因とする不快臭も官能検査の結果では無臭となった。
【００１９】
なお，水のクラスタ−の細分については，本発明では攪拌と回転している磁石による磁界に間歇的に曝すことと交錯した磁界を通過させることを特徴とするが，直接的な測定は出来ないので，特別に加工した濾紙の通過時間で処理水と未処理水とを比較すると細分されていると解釈できる結果が得られた。
【００２０】
なお，連結スクリュウは，連結して製作できるが単独スクリュウを製作してそれを連続的に積み重ねる事によっても構成できる事は既に述べたが，後者に於いて異なるピッチのスクリュウを組み合わせる事によって乱流を起こし，攪拌能力を向上させることが出来る。このことは基本的には本発明における内容から逸脱するものではないので，ピッチの異なるスクリュウを適宜組み合わせる事も本発明に含むものである。
【００２１】
【発明の効果】
以上の発明は次の効果を有する。
１水道水に含む遊離塩素やアオコ等に起因する不快臭を，処理機能を劣化させないで安定的に，その経費を低廉にしかも衛生的に除去して旨い水道水が得られる。
２この発明は，その作用から下水等の水処理にも効果的に利用できる。
【００２２】
【図面の簡単な説明】
【図１】本発明による浄水器内部の詳細側面図
【図２】本浄水器の部品である連結スクリュウの上面図と側面図
【図３】本浄水器の部品である回転翼二種類の各平面図と断面図
【図４】本浄水器の外部斜視図
【００２３】
【符号の説明】
１    送水口
２    空気吸入孔
３    スクリュウ内蔵部（パイプ）
４    軸受け
４’  軸受けにおける導水口
５    軸
６    連結スクリュウ
７    回転翼内蔵部（球）
８    回転翼のはずみ環
９    回転翼の翼
１０    吐出速度調整コック
１１    吐出口
Ａ      回転翼Ａ
Ｂ      回転翼Ｂ
←      水の流れる方向
←…    回転方向
【図１】
0003849107.tif 000002
【図２】
0003849107.tif 000003
【図３】
0003849107.tif 000004
【図４】
0003849107.tif 000005